Podtech/llm-jp-corpus-v4-ja_patent huggingface dataset:
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
多機能添加物を調合する方法であって、
セルロース層を形成する細胞壁を有する植物材料を、３０メガラドから１００メガラドの照射量を発する電子ビーム源で照射して被照射物質を形成し、
前記被照射物質を微粒子化することを特徴とする方法。
【請求項２】
前記植物材料は綿である請求項１に記載の方法。
【請求項３】
前記照射に先立って、前記植物材料を、３．１７５ｍｍ（１／８インチ）から６．３５ｍｍ（１／４インチ）である第１の平均サイズに微粒子化する請求項１に記載の方法。
【請求項４】
前記照射は、複数回の低レベルの照射で行われる請求項１〜３のいずれかに記載の方法。
【請求項５】
前記微粒子化は、２μｍから１０μｍの一般粒子サイズを形成するジェット分粒ミルで行われる請求項１に記載の方法。
【請求項６】
照射がされた粒状化された植物材料の前記微粒子化は、３μｍから４μｍの第２の平均サイズを有する材料を生成し、前記第２の平均サイズの９９％を１０μｍ未満とする請求項３に記載の方法。
【請求項７】
請求項１に記載の方法に従ってセルロース層を形成する細胞壁を有する植物材料から調合された多機能添加物。
【請求項８】
前記植物材料は綿である請求項７に記載の多機能添加物。
【請求項９】
一般的な粒子径が２μｍから１０μｍである請求項８に記載の多機能添加物。
【請求項１０】
３μｍから４μｍの平均粒子径を有しており、９９％が１０μｍ未満である請求項８に記載の多機能添加物。
【手続補正２】
【補正対象書類名】明細書
【補正対象項目名】０００８
【補正方法】変更
【補正の内容】
【０００８】
発明の要旨
本発明は、生植物材料、特に原綿から、多機能添加物を調合する方法に関するものである。生植物材料は、電子ビーム源で照射され、被照射物質を形成する。照射の間、生植物材料は絶えず混合され、生植物材料に均一の照射量が供給される。照射に続いて、被照射物質は、分解もしくは微粒子化され、元の生植物材料の開始時の物質よりも小さい平均サイズを持つ添加物を形成する。
【手続補正３】
【補正対象書類名】明細書
【補正対象項目名】００１０
【補正方法】変更
【補正の内容】
【００１０】
本発明の照射工程に先立って、生植物材料が粒状化され、照射の前に生植物材料のサイズを減少する粒状化の工程を含めてもよい。本発明の１つの実施形態では、粒状化工程は、照射工程に先立って、生植物材料を約３．１７５ｍｍ（１／８インチ）から約６．３５ｍｍ（１／４インチ）のサイズに減少する。
【手続補正４】
【補正対象書類名】明細書
【補正対象項目名】００１２
【補正方法】変更
【補正の内容】
【００１２】
本発明の微粒子化工程は、被照射物質のサイズを減少することを意味し、ジェット分粒ミルで行うことができる。微粒子化工程は、照射された植物材料の平均サイズを約３μｍから４μｍの平均サイズに減少し、平均サイズの９９％を１０μｍ未満とするものである。
【手続補正５】
【補正対象書類名】明細書
【補正対象項目名】００１３
【補正方法】変更
【補正の内容】
【００１３】
また、前記方法に加えて、本発明は、摩擦を減少するのに有用で、アンチ・ミスティング特性を提供し、タルクやアスベストの代用品として適し、電子ビームの照射にさらされている生植物材料から製造される添加物に関するものでもある。照射の間、生植物材料は絶えず混合され、均一な照射量を受ける。続いて、被照射物質は微粒子化され、減少されたサイズの添加物を形成する。添加物を製造するために使用される生植物材料は、好ましくは原綿である。
【手続補正６】
【補正対象書類名】明細書
【補正対象項目名】００１５
【補正方法】変更
【補正の内容】
【００１５】
本発明の他の様々な特徴、目的、利点は、以下の説明から明らかとなるであろう。
【手続補正７】
【補正対象書類名】明細書
【補正対象項目名】００１８
【補正方法】変更
【補正の内容】
【００１８】
本発明の方法によって原綿を処理するに先立って、原綿繊維は梱から出され、薄いシート状に伸ばされる。梱から出された綿シートは、かなり小さい片、例えば５．０８ｃｍ×５．０８ｃｍ（２インチ四方）のサイズに切断または細断される。そして、切断された小片は、ペレタイザまたはコンプレッサに送られ、約１．２７ｃｍ（１／２インチ）サイズのペレット（小球）に圧縮される。もしくは、ペレットにすることができない場合、切断された小片を細断し、１．２７ｃｍ（１／２インチ）から６．３５ｍｍ（１／４インチ）の範囲の小さい正方形状としてもよい。この細断には、ＨＯＧまたはCumberland切断機、あるいは類似の装置を用いることができる。
【手続補正８】
【補正対象書類名】明細書
【補正対象項目名】００２３
【補正方法】変更
【補正の内容】
【００２３】
生植物材料の照射によって被照射物質が形成され、次いで微粒子化工程に送られる。被照射物質の微粒子化は微粒子化ミル、より好ましくは、Fluid Energy A1-Jet社製のmodel 30 Roto-Jetのようなジェット分粒ミルによって実施される。ジェットミルは、１２０ｐｓｉ（ポンド／平方インチ）で１５００〜２０００ＣＦＭ（立方フィート／分）の気流を使用して作動する。これは、細かいサイズ分類を行う、独立駆動される動的分粒器を内蔵する高速グラインディングミルである。微粒子化された被照射物質のサイズは、添加物の最終的な用途に応じて様々であるが、ここに開示の用途では、一般的な微粒子の範囲は約２μｍから約１０μｍの間である。摩擦を減少する添加物の用途では、微粒子の９９％は平均サイズが１０μｍ未満であり、直径が２μｍ未満の微粒子はごく少数で、１．０μｍ未満のものは０％である。摩擦を減少する用途には、平均微粒子サイズが３から４μｍであることが望ましい。
【誤訳訂正書】
【提出日】平成16年8月30日(2004.8.30)
【誤訳訂正１】
【訂正対象書類名】明細書
【訂正対象項目名】００１２
【訂正方法】変更
【訂正の内容】
【００１２】
このようなポリアミドの例は、ナイロン−６（ポリカプロラクタム）、ナイロン６，６（ポリヘキサメチレンアジパミド）、ナイロン４，６（ポリテトラメチレンアジパミド）、ナイロン−６，１０（ポリヘキサメチレンセバカミド）、ナイロン−７（ポリエナンテトールラクタム）、ナイロン−１１（ポリウンデカノールラクタム）、ナイロン−１２（ポリドデカノールラクタム）である。これらポリアミドは、ナイロンという包括的な名称で知られている。ポリアミドは、ポリ−メタ−フェニレンイソフタルアミド（ＮＯＭＥＸ（登録商標）  ｆｉｂｅｒ，  ＵＳ−Ａ−３，２８７，３２４）又はポリ−パラ−フェニレンテレフタルアミド（ＫＥＶＬＡＲ（登録商標）  ｆｉｂｅｒ，  ＵＳ−Ａ−３，６７１，５４２）等のいわゆるアラミド（芳香族ポリアミド）を含む。
【誤訳訂正２】
【訂正対象書類名】明細書
【訂正対象項目名】００１７
【訂正方法】変更
【訂正の内容】
【００１７】
有用なモノマーは、
Ｃ２〜Ｃ２０、好ましくはＣ２〜Ｃ１８、アリール脂肪族又は、好ましくは脂肪族ラクタム例えば、エナントラクタム、ウンデカノラクタム、ドデカノラクタム又はカプロラクタムのモノマー又はオリゴマー、
Ｃ２〜Ｃ２０、好ましくはＣ３〜Ｃ１８、アミノカルボン酸、例えば、６−アミノカプロン酸又は１１−アミノウンデカノ酸等のモノマー又はオリゴマー、及びこれらの二量体、三量体、四量体、五量体又は六量体、及びこれらの、アルカリ金属塩（例えばリチウム、ナトリウム、又はカリウム塩）、
Ｃ２〜Ｃ２０、好ましくはＣ３〜Ｃ１８、アミノカルボン酸ニトリル、
例えば、６−アミノカプロニトリル又は１１−アミノウンデカノ酸ニトリル、
Ｃ２〜Ｃ２０、アミノ酸アミド例えば、６−アミノカプルアミド又は１１−アミノウンデカンアミドのモノマー又はオリゴマー及びこれらの二量体、三量体、四量体、五量体又は六量体、
Ｃ２〜Ｃ２０、好ましくはＣ３〜Ｃ１８、アミノカルボン酸のエステル、好ましくは、メチル、エチル、ｎ−プロピル、ｉ−プロピル、ｎ−ブチル、ｉ−ブチル又は、ｓ−ブチルエステル、等のＣ１−Ｃ４アルキルエステル、例えば、６−アミノカプリル酸エステル例えば、メチル６−アミノカプロエート又は１１−アミノウンデカン酸エステル例えば、メチル１１−アミノウンデカノエート、
Ｃ２〜Ｃ２０、好ましくはＣ２〜Ｃ１２、アルキルジアミン、例えばテトラメチレンジアミン又は、好ましくはヘキサメチレンジアミンと、Ｃ２〜Ｃ２０、好ましくはＣ２〜Ｃ１４、脂肪族ジカルボン酸、又はこれらのモノ−又はジニトリル、例えば、セバシン酸、ドデカンエジオ酸、アジピン酸、セバシン酸ジニトリル、デカン酸ジニトリル又はアジポンニトリルとのモノマー又はオリゴマー及び、これらの二量体、三量体、四量体、五量体、又は六量体、
Ｃ２〜Ｃ２０、好ましくはＣ２〜Ｃ１２アルキルジアミン、例えばテトラメチレンジアミン又は好ましくはヘキサメチレンジアミンと、Ｃ８〜Ｃ２０、好ましくはＣ８〜Ｃ１２、芳香族ジカルボン酸又はこれらの誘導体、例えば、ナフタレン−２，６−ジカルボン酸、好ましくは、イソフタル酸、又はテレフタル酸の、塩化物、とのモノマー又はオリゴマー及び、これらの二量体、三量体、四量体、五量体、又は六量体、
Ｃ２〜Ｃ２０の、好ましくはＣ２〜Ｃ１２、アルキルジアミン、例えばテトラメチレンジアミン、又は好ましくはヘキサメチレンジアミンと、Ｃ９〜Ｃ２０、好ましくはＣ９〜Ｃ１８、アリール脂肪族ジカルボン酸、又はこれらの誘導体、例えば、ｏ−、ｍ−又はｐ−フェニレンジ酢酸等の塩化物、とのモノマー又はオリゴマー、及びこれらの二量体、三量体、四量体、五量体又は六量体、
Ｃ６〜Ｃ２０の、好ましくはＣ６〜Ｃ１０、芳香族ジアミン、例えばｍ−又はｐ−フェニレンジアミンと、Ｃ２〜Ｃ２０、好ましくはＣ２〜Ｃ１４、脂肪族ジカルボン酸又はこれらのモノ−又は、ジニトリル、例えばセバシン酸、ドデカンエジオ酸、アジピン酸、セバシン酸ジニトリル、デカン酸ジニトリル又はアジポンニトリル、とのモノマー又はオリゴマー及びこれらの二量体、三量体、四量体、五量体、又は六量体、
Ｃ６〜Ｃ２０の、好ましくはＣ６〜Ｃ１０、芳香族ジアミン、例えばｍ−又はｐ−フェニレンジアミンと、Ｃ８〜Ｃ２０の、好ましくはＣ８〜Ｃ１２、芳香族ジカルボン酸、又はこれらの誘導体、例えば、ナフタレン−２，６−ジカルボン酸、好ましくは、イソフタル酸又はテレフタル酸等の、塩化化合物とのモノマー又はオリゴマー、及びこれらの二量体、三量体、四量体、五量体、又は六量体、
Ｃ６〜Ｃ２０の、好ましくはＣ６〜Ｃ１０、芳香族ジアミン、例えばｍ−又はｐ−フェニレンジアミンと、Ｃ９〜Ｃ２０、好ましくはＣ９〜Ｃ１８、アリール脂肪族ジカルボン酸、又はこれらの誘導体、例えば、ｏ−、ｍ−、又はｐ−フェニレンジ酢酸等の、塩化化合物、とのモノマー又はオリゴマー、及びこれらの二量体、三量体、四量体、五量体、又は六量体、
Ｃ７〜Ｃ２０の、好ましくはＣ８〜Ｃ１８、芳香族ジアミン、例えばｍ−又はｐ−キシレンジアミンと、Ｃ２〜Ｃ２０、好ましくはＣ２〜Ｃ１４、脂肪族ジカルボン酸又はこれらのモノ−又はジニトリル、例えば、セバシン酸、ドデカンジオ酸、アジピン酸、セバシン酸ジニトリル、デカン酸ジニトリル又はアジポンニトリル、とのモノマー又はオリゴマー、及びこれらの二量体、三量体、四量体、五量体、又は六量体、
Ｃ７〜Ｃ２０の、好ましくはＣ８〜Ｃ１８、アリール脂肪族ジアミン、例えば、ｍ−又はｐ−キシレンジアミンと、Ｃ６〜Ｃ２０、好ましくはＣ６〜Ｃ１０、芳香族ジカルボン酸、又はこれらの誘導体、例えば、ナフタレン−２，６−ジカルボン酸、好ましくは、イソフタル酸又はテレフタル酸等の、塩化化合物とのモノマー又はオリゴマー、及びこれらの二量体、三量体、四量体、五量体、又は六量体、
Ｃ７〜Ｃ２０の、好ましくはＣ８〜Ｃ１８、アリール脂肪族ジアミン、例えばｍ−又はｐ−キシレンジアミンと、Ｃ９〜Ｃ２０、好ましくはＣ９〜Ｃ１８、アリール脂肪族ジカルボン酸、又はこれらの誘導体、例えば、ｏ−、ｍ−、又はｐ−フェニレンジ酢酸等の塩化化合物、とのモノマー又はオリゴマー、及びこれらの二量体、三量体、四量体、五量体、又は六量体、
及びこのような開始モノマー又は開始オリゴマー等の単独重合体、共重合体、混合物およびグラフトである。
【誤訳訂正３】
【訂正対象書類名】明細書
【訂正対象項目名】００１８
【訂正方法】変更
【訂正の内容】
【００１８】
好ましい実施例としては、使用されたラクタムはカプロラクタムであり、使用されたジアミンは、テトラメチレンジアミン、ヘキサメチレンジアミン又はこれらの混合物であり、及び使用されたジカルボン酸はアジピン酸、セバシン酸、ドデカンエジオ酸、テレフタル酸、イソフタル酸、又はこれらの混合物である。ラクタムは、カプロラクタム、ジアミンはヘキサメチレンジアミン、及びジカルボン酸は、アジピン酸又はテレフタル酸又はこれらの混合物であることが特に好ましい。
【手続補正書】
【提出日】平成17年1月26日(2005.1.26)
【手続補正１】
【補正対象書類名】特許請求の範囲
【補正対象項目名】全文
【補正方法】変更
【補正の内容】
【特許請求の範囲】
【請求項１】
硬化性フルオロポリマー組成物であって、
水素含有フルオロエラストマーがフッ化ビニリデンから誘導された１つ以上の単位を含むときに、前記組成物が１種類以上の無機酸受容体を本質的に含まないという条件で、
ａ）硬化部位モノマーから誘導された単位を有する、過酸化物硬化可能な水素含有フルオロエラストマーと、
ｂ）過酸化物硬化剤と、
ｃ）任意で、前記硬化剤の助剤と、
ｄ）フッ素を含有しないオルガノ−オニウムと、
を含む硬化性フルオロポリマー組成物。
【請求項２】
硬化性フルオロポリマー組成物を提供する工程であって、水素含有フルオロエラストマーが、フッ化ビニリデンから誘導された１つ以上の単位を含むときに、前記組成物が１種類以上の無機酸受容体を本質的に含まないという条件で、
ｉ）炭素結合水素を含む少なくとも１種類のモノマーから誘導された単位と、硬化部位モノマーから誘導された単位とを有する、過酸化物硬化可能なフルオロエラストマーと、
ｉｉ）過酸化物硬化剤と、
ｉｉｉ）任意で、前記硬化剤の助剤と、
ｉｖ）フッ素を含有しないオルガノ−オニウムと
を含む硬化性フルオロポリマー組成物を提供する工程ａ、および、
前記硬化性組成物を硬化する工程ｂ、
を含む硬化フルオロエラストマーの圧縮永久歪みを改善する方法。
【請求項３】
水素含有フルオロエラストマーがフッ化ビニリデンから誘導された１つ以上の単位を含むときに、硬化性組成物が１種類以上の無機酸受容体を本質的に含まないという条件で、
ａ）硬化部位モノマーから誘導された単位を有する、過酸化物硬化可能な水素含有フルオロエラストマーと、
ｂ）過酸化物硬化剤と、
ｃ）任意で、前記硬化剤の助剤と、
ｄ）フッ素を含有しないオルガノ−オニウムと
を含む硬化性組成物の反応生成物を含む硬化フルオロエラストマー。
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
添加物として、実質的にエトキシル化アルコールを含まないことを特徴とする、オレイン酸アルカノールアミド及びアルコキシル化オレイン酸を含んでなる燃料添加組成物。
【請求項２】
上記オレイン酸アルカノールアミドが、エタノールアミドであることを特徴とする、請求項１記載の燃料添加組成物。
【請求項３】
上記オレイン酸エタノールアミドが、ジエタノールアミドであることを特徴とする、請求項２記載の燃料添加組成物。
【請求項４】
上記アルコキシル化オレイン酸が、エトキシル化オレイン酸、プロポキシル化オレイン酸又はこれらの混合物であることを特徴とする、請求項１記載の燃料添加組成物。
【請求項５】
アルコキシル化度が、オレイン酸１ｍｏｌに対し、アルコキシレート０．５から１０ｍｏｌであることを特徴とする、請求項４記載の燃料添加組成物。
【請求項６】
アルコキシル化度が、オレイン酸１ｍｏｌに対し、アルコキシレート１ｍｏｌであることを特徴とする、請求項５記載の燃料添加組成物。
【請求項７】
上記アルコキシル化オレイン酸の前駆体が、オレイン酸６５〜７０％ｖ／ｖを含むことを特徴とする、請求項１記載の燃料添加組成物。
【請求項８】
上記アルコキシル化オレイン酸の前駆体が、リノール酸、ステアリン酸、パルミチン酸及びミリスチン酸からなる群より選択される１種以上の他の酸を含むことを特徴とする、請求項７記載の燃料添加組成物。
【請求項９】
上記アルコキシル化オレイン酸であるエトキシル化オレイン酸に対する上記アルカノールアミドであるオレイン酸ジエタノールアミドの割合が、９９：１〜１：９９ｖ／ｖの範囲であることを特徴とする、請求項１記載の燃料添加組成物。
【請求項１０】
上記アルコキシル化オレイン酸に対する上記オレイン酸ジエタノールアミドの割合が、１：１であることを特徴とする、請求項９記載の燃料添加物。
【請求項１１】
炭化水素燃料及び請求項１記載の燃料添加組成物を含んでなる、燃料組成物。
【請求項１２】
上記炭化水素燃料が、ディーゼルとして石油ディーゼル又はバイオディーゼル、ガソリン、航空燃料及びアルコールからなる群より選択される１種以上であることを特徴とする、請求項１１記載の燃料組成物。
【請求項１３】
水を含み、実質的に安定し、透明かつ均一な溶液からなることを特徴とする、請求項１１記載の燃料組成物。
【請求項１４】
添加物対燃料の割合が、０．５〜５０：１０００ｖ／ｖであることを特徴とする、請求項１１記載の燃料組成物。
【請求項１５】
含まれる燃料が、ディーゼル燃料、又はディーゼル及びアルコールの混合物であることを特徴とする、請求項１２記載の燃料組成物。
【請求項１６】
上記燃料が、石油ディーゼルであることを特徴とする、請求項１５記載の燃料組成物。
【請求項１７】
上記燃料が、石油ディーゼルとバイオディーゼルのブレンド、又はバイオディーゼルであることを特徴とする、請求項１６記載の燃料組成物。
【請求項１８】
上記アルコールが、エタノールであることを特徴とする、請求項１５記載の燃料組成物。
【請求項１９】
燃料が、含水エタノール及びディーゼルのブレンドであることを特徴とする、請求項１５記載の燃料組成物。
【請求項２０】
燃料が、無水エタノール及びディーゼルのブレンドであることを特徴とする、請求項１５記載の燃料組成物。
【請求項２１】
含まれる燃料が、ガソリン、又はガソリン及びエタノールのブレンドであることを特徴とする、請求項１１記載の燃料組成物。
【請求項２２】
上記燃料に対する上記添加物の割合が、５％ｖ／ｖまでであることを特徴とする、請求項１９又は２１記載の燃料組成物。
【請求項２３】
さらに、窒素化合物を含むことを特徴とする、請求項１１記載の燃料組成物。
【請求項２４】
上記窒素化合物が、アンモニア、ヒドラジン、アルキルヒドラジン、ジアルキルヒドラジン、尿素、エタノールアミン、モノアルキルエタノールアミン及びジアルキルエタノールアミンからなる群から選択され、但し、上記アルキルは、メチル、エチル、ｎ−プロピル又はイソプロピルから独立して選択されることを特徴とする、請求項２３記載の燃料組成物。
【請求項２５】
燃料組成物に窒素化合物を可溶化させる方法であって、該方法は、炭化水素燃料、窒素化合物及び請求項１記載の燃料添加組成物を混合することを含む、可溶化法。
【請求項２６】
請求項２３記載の燃料組成物の製造への、窒素化合物の使用。
【請求項２７】
上記添加物が、さらにセタンブースターを、０．１％ｖ／ｖ〜１０％ｖ／ｖの量で含むことを特徴とする、請求項１記載の燃料添加物。
【請求項２８】
上記添加物が、さらに解乳化剤を、５％未満の量で含むことを特徴とする、請求項１記載の燃料添加物。
【請求項２９】
さらに解乳化剤を、５％未満の量で含むことを特徴とする、請求項１１記載の燃料組成物。
【請求項３０】
請求項１記載の燃料添加物の製造へのオレイン酸アルカノールアミド又はアルコキシル化オレイン酸の使用。
【請求項３１】
請求項１１記載の燃料の使用する内燃機関の稼動法。
【請求項３２】
前記内燃機関からの排ガス排出の毒性を減じることを特徴とする、請求項３１記載の方法。
【手続補正書】
【提出日】平成17年3月18日(2005.3.18)
【手続補正１】
【補正対象書類名】特許請求の範囲
【補正対象項目名】全文
【補正方法】変更
【補正の内容】
【特許請求の範囲】
【請求項１】
互いに異なる少なくとも一種の第１のモノマーおよび少なくとも一種の第２のモノマーから誘導された反復単位を含むフルオロポリマーを製造する方法であって、前記第1のモノマーが、テトラフルオロエチレンおよび／またはフッ化ビニリデンから選択されたフルオロオレフィンであり、前記第２のモノマーが、フッ化ビニル、パーフルオロアルキルビニルモノマー、エチレン、プロピレン、フッ化アリルエーテル、フッ化ビニルエーテルおよびフッ化ビニリデンからなる群から選択された少なくとも一種のコモノマーであり、前記方法が、添加界面活性剤の非存在下での前記第1のモノマーおよび第２のモノマーの水
性乳化重合を含み、前記水性重合が、重合条件下にて、重合に供給されるモノマーの総重量に対して０．４重量％を超える水溶性フッ素化化合物を生じない、連鎖移動剤または連鎖移動剤の混合物の存在下にて行われることを特徴とする方法。
【請求項２】
互いに異なる少なくとも一種の第１のモノマーおよび少なくとも一種の第２のモノマーから誘導された反復単位を含むフルオロポリマーを製造する方法であって、前記第１のモノマーが、テトラフルオロエチレンおよび／またはフッ化ビニリデンから選択されたフルオロオレフィンであり、前記第２のモノマーが、フッ化ビニル、パーフルオロアルキルビニルモノマー、エチレン、プロピレン、フッ化アリルエーテル、フッ化ビニルエーテルおよびフッ化ビニリデンからなる群から選択された少なくとも一種のコモノマーであり、前記方法が、添加界面活性剤の非存在下での前記第1のモノマーおよび第２のモノマーの水
性乳化重合を含み、前記水性重合が、アルカン、ジアルキルエーテル、ヒドロフルオロエーテルおよび／またはヒドロフルオロカーボンからなる群から選択された、連鎖移動剤または連鎖移動剤の混合物の存在下にて行われる方法。
【手続補正書】
【提出日】平成17年4月22日(2005.4.22)
【手続補正１】
【補正対象書類名】特許請求の範囲
【補正対象項目名】全文
【補正方法】変更
【補正の内容】
【特許請求の範囲】
【請求項１】
パラ−ジメチルＤＰＰ３０〜８０モル％と、パラ−ジクロロＤＰＰ７０〜２０モル％と、からなるホスト−ゲスト固溶体であって、該ホスト−ゲスト固溶体のＸ線回折パターンが、パラ−ジメチルＤＰＰ顔料のＸ線回折パターンと実質的に同一である、ホスト−ゲスト固溶体。
【請求項２】
パラ−ジメチルＤＰＰ３５〜６５モル％と、パラ−ジクロロＤＰＰ６５〜３５モル％と、からなる、請求項１記載のホスト−ゲスト固溶体。
【請求項３】
ａ）高沸点有機溶媒中でパラ−ジメチルＤＰＰ３０〜８０モル％と、パラ−ジクロロＤＰＰ７０〜２０モル％と、からなる顔料混合物の懸濁液を形成し、
ｂ）顔料混合物を充分な時間加熱してホスト−ゲスト固溶体を製造する、
ことを含む、請求項１または２に記載の固溶体の製造方法。
【請求項４】
高沸点有機溶媒が、ビフェニル、パラ−、メタ−もしくはオルト−テルフェニル、ジベンジルトルエン、α−メチル−もしくはβ−メチルナフタレン、１，３−ジオキソラン−２−オン、アセトフェノン、ベンゾフェノン、γ−ブチロラクトン、Ｐｈｅ−セロソルブ、Ｂｕ−セロソルブまたはそれらの混合物、あるいはジ−およびトリアリールエーテルの混合物からなる群より選択される、請求項３に記載の方法。
【請求項５】
ａ）パラ−ジメチルＤＰＰ３０〜８０重量％と、パラ−ジクロロＤＰＰ７０〜２０重量％と、から本質的になる顔料混合物を形成し、
ｂ）顔料混合物を充分な時間粉砕してホスト−ゲスト固溶体を製造する、
ことを含む、請求項１または２に記載の固溶体の製造方法。
【請求項６】
粒子のサイズを減少させるのに有効な量の粉砕用塩の存在下に混合物を粉砕する、請求項５に記載の方法。
【請求項７】
粉砕用塩が水和された硫酸アルミニウムである、請求項６に記載の方法。
【請求項８】
高分子量有機材料と有効な着色量の請求項１または２に記載の固溶体とを含む組成物。
【請求項９】
高分子量有機材料を着色するための、請求項１または２に記載のホスト−ゲスト固溶体の使用。
【請求項１０】
液体担体と着色有効量の請求項１または２に記載のホスト−ゲスト固溶体とを含む塗料調合物。
【手続補正書】
【提出日】平成16年1月30日(2004.1.30)
【手続補正１】
【補正対象書類名】特許請求の範囲
【補正対象項目名】全文
【補正方法】変更
【補正の内容】
【特許請求の範囲】
【請求項１】
（Ａ）  潤滑剤、及び
（Ｂ）  式：
【化１】
2004528475.tif 000001
（式中、Ｒ1は、１〜３０個の炭素原子を有する炭化水素又は官能性化炭化水素であり、Ｒ2及びＲ3は、独立に、１〜３０個の炭素原子を有する炭化水素又は官能性化炭化水素及び水素からなる群から選択され、Ｘは酸素、硫黄、又は窒素である）
の少なくとも一種類の５−アルキル−２−チオン−１，３，４−チアジアゾリジン化合物、
を含有する組成物。
【請求項２】
潤滑剤が潤滑油である、請求項１に記載の組成物。
【請求項３】
少なくとも一種類の炭化水素が、直鎖アルキル、分岐鎖アルキル、環状構造を有するアルキル、アルキルアリール、完全飽和炭化水素（アルキル）鎖、又は部分的不飽和炭化水素（アルキル）鎖である、請求項１に記載の組成物。
【請求項４】
少なくとも一種類の炭化水素が、直鎖アルキル、分岐鎖アルキル、環状構造を有するアルキル、アルキルアリール、完全飽和炭化水素（アルキル）鎖、又は部分的不飽和炭化水素（アルキル）鎖である、請求項２に記載の組成物。
【請求項５】
Ｒ1が、１〜１０個の炭素原子を有するアルキル鎖である、請求項１に記載の組成物。
【請求項６】
Ｒ1が、１〜１０個の炭素原子を有するアルキル鎖である、請求項２に記載の組成物。
【請求項７】
Ｒ1及びＲ3の各々が、１〜１０個の炭素原子を有するアルキル鎖である、請求項５に記載の組成物。
【請求項８】
Ｒ1及びＲ3の各々が、１〜１０個の炭素原子を有するアルキル鎖である、請求項６に記載の組成物。
【請求項９】
Ｒ1が、１−エチルペンチル、ドデシル、オクチル、及びヘプチルからなる群から選択されている、請求項７に記載の組成物。
【請求項１０】
Ｒ1が、１−エチルペンチル、ドデシル、オクチル、及びヘプチルからなる群から選択されている、請求項８に記載の組成物。
【請求項１１】
Ｒ3がメチルである、請求項９に記載の組成物。
【請求項１２】
Ｒ3がメチルである、請求項１０に記載の組成物。
【請求項１３】
Ｒ1、Ｒ2、及びＲ3の少なくとも一つが、エーテル酸素、スルフィド硫黄、エステル、アミド、及びアミン窒素からなる群から選択された少なくとも一種類のものを鎖内に含有する、１〜３０個の直鎖炭素原子を有する官能性化炭化水素鎖である、請求項１に記載の組成物。
【請求項１４】
Ｒ1、Ｒ2、及びＲ3の少なくとも一つが、エーテル酸素、スルフィド硫黄、エステル、アミド、及びアミン窒素からなる群から選択された少なくとも一種類のものを鎖内に含有する、１〜３０個の直鎖炭素原子を有する官能性化炭化水素鎖である、請求項２に記載の組成物。
【請求項１５】
５−アルキル−２−チオン−１，３，４−チアジアゾリジンが、約０．０１〜約１０重量％の範囲の濃度で存在する、請求項１に記載の組成物。
【請求項１６】
更に、分散剤、清浄剤、腐食／錆防止剤、ジアルキルジチオ燐酸亜鉛、ＶＩ改良剤、流動点降下剤、酸化防止剤、及び摩耗緩和剤からなる群から選択された少なくとも一種類の添加剤を含有する、請求項１に記載の組成物。
【請求項１７】
更に、分散剤、清浄剤、腐食／錆防止剤、ジアルキルジチオ燐酸亜鉛、ＶＩ改良剤、流動点降下剤、酸化防止剤、及び摩耗緩和剤からなる群から選択された少なくとも一種類の添加剤を含有する、請求項２に記載の組成物。
【請求項１８】
更に、ジアルキルジチオ燐酸亜鉛、ジアリールジチオ燐酸亜鉛、及びそれらの混合物からなる群から選択された少なくとも一種類のものを含有する、請求項１に記載の組成物。
【請求項１９】
更に、ジアルキルジチオ燐酸亜鉛、ジアリールジチオ燐酸亜鉛、及びそれらの混合物からなる群から選択された少なくとも一種類のものを含有する、請求項２に記載の組成物。
【請求項２０】
Ｒ1及びＲ3が、スピロ環式アルキル基、ＣＨ2（ＣＨ2）nＣＨ2（ここでｎ＝１〜４）の一部分として一緒に融合している、請求項１に記載の組成物。
【請求項２１】
Ｒ1及びＲ3が、スピロ環式アルキル基、ＣＨ2（ＣＨ2）nＣＨ2（ここでｎ＝１〜４）の一部分として一緒に融合している、請求項２に記載の組成物。
【請求項２２】
更に、アルキル化ジフェニルアミン、立体障害アルキル化フェノール、立体障害アルキル化フェノールエステル、及びジチオカルバミン酸モリブデンからなる群から選択された少なくとも一種類の添加剤を含有する、請求項１に記載の組成物。
【請求項２３】
更に、アルキル化ジフェニルアミン、立体障害アルキル化フェノール、立体障害アルキル化フェノールエステル、及びジチオカルバミン酸モリブデンからなる群から選択された少なくとも一種類の添加剤を含有する、請求項２に記載の組成物。
【請求項２４】
更に、金属フェネート、金属硫酸化フェネート、金属スルホン酸塩、金属アルキルサリチル酸塩からなる群から選択された少なくとも一種類の添加剤を含有する、請求項１に記載の組成物。
【請求項２５】
更に、金属フェネート、金属硫酸化フェネート、金属スルホン酸塩、金属アルキルサリチル酸塩からなる群から選択された少なくとも一種類の添加剤を含有する、請求項２に記載の組成物。
【手続補正書】
【提出日】平成16年4月27日(2004.4.27)
【手続補正１】
【補正対象書類名】特許請求の範囲
【補正対象項目名】全文
【補正方法】変更
【補正の内容】
【特許請求の範囲】
【請求項１】
(A)少なくとも１つのビスホスホネート；および
(B)少なくとも１つの化合物１−１０またはこれらの塩を含有する組成物。
【請求項２】
ビスホスホネートが、アレンドロネート、クロドロネート、エチドロネート、イバンドロネート、インカドロネート、ミノドロネート、ネリドロネート、オルパドロネート、パミドロネート、リセドロネート、チルドロネート、ゾレドロネート、EB1053、YH529、これらの類似体、ミメティクス、およびポリエチレングリコール変性誘導体から選択される、請求項１、２０、および２１のいずれか１項に記載の組成物。
【請求項３】
ビスホスホネートがアレンドロネートである、請求項２、２０、および２１のいずれか１項に記載の組成物。
【請求項４】
（B）が化合物１またはその塩である、請求項１ないし３および２２ないし２４のいずれか１項に記載の組成物。
【請求項５】
（B）が化合物２またはその塩である、請求項１ないし３および２２ないし２４のいずれか１項に記載の組成物。
【請求項６】
（B）が化合物３またはその塩である、請求項１ないし３および２２ないし２４のいずれか１項に記載の組成物。
【請求項７】
（B）が化合物４またはその塩である、請求項１ないし３および２２ないし２４のいずれか１項に記載の組成物。
【請求項８】
（B）が化合物５またはその塩である、請求項１ないし３および２２ないし２４のいずれか１項に記載の組成物。
【請求項９】
（B）が化合物６またはその塩である、請求項１ないし３および２２ないし２４のいずれか１項に記載の組成物。
【請求項１０】
（B）が化合物７またはその塩である、請求項１ないし３および２２ないし２４のいずれか１項に記載の組成物。
【請求項１１】
（B）が化合物８またはその塩である、請求項１ないし３および２２ないし２４のいずれか１項に記載の組成物。
【請求項１２】
（B）が化合物９またはその塩である、請求項１ないし３および２２ないし２４のいずれか１項に記載の組成物。
【請求項１３】
（A）請求項１ないし１２，２０ないし２４，２９ないし４５、および４７のいずれか１項に記載の組成物；及び
（B）（a）付形剤、
（b）希釈剤、
（c）崩壊剤、
（d）潤滑剤、
（e）可塑剤、
（f）着色剤、
（g）投与ビヒクル、または
（h）これらの任意の組み合わせを含む、投与単位形態。
【請求項１４】
投与単位形態が、錠剤、カプセル、粉末、又は液体を含む投与ビヒクルを含む、請求項１３記載の投与単位形態。
【請求項１５】
投与ビヒクルが、水、1，2−プロパンジオール、エタノール、及びこれらの任意の組み合わせからなる群から選択された液体である、請求項１３記載の投与単位形態。
【請求項１６】
請求項１ないし１２，２０ないし２４，２９ないし４５、および４７のいずれか１項に記載の組成物を必要とする動物の治療用経口投与薬物を調製するための該組成物の使用。
【請求項１７】
骨関連疾患の治療または予防用経口投与薬物を調製するための請求項１ないし１２，２０ないし２４，２９ないし４５、および４７のいずれか１項に記載の組成物の使用。
【請求項１８】
骨粗しょう症予防用経口投与薬物を調製するための請求項１ないし１２，２０ないし２４，２９ないし４５、および４７のいずれか１項に記載の組成物の使用。
【請求項１９】
(A)少なくとも１つのビスホスホネート； 
(B)化合物１−９およびこれらの塩から選択された化合物；および
(C)任意に、投与ビヒクルを混合物することを含む、請求項１ないし１２，２０ないし２４，２９ないし４５、および４７のいずれか１項に記載の組成物の調製方法。
【請求項２０】
(A)少なくとも１つのビスホスホネート； および
(B)少なくとも１つの化合物Aまたはその塩を含有する組成物。
【請求項２１】
(A)少なくとも１つのビスホスホネート； および
(B)少なくとも１つの化合物Bまたはその塩を含有する組成物。
【請求項２２】
ビスホスホネートがイバンドロネートである、請求項２，２０，および２１のいずれか１項に記載の組成物。
【請求項２３】
ビスホスホネートがリセドロネートである、請求項２，２０，および２１のいずれか１
項に記載の組成物。
【請求項２４】
ビスホスホネートがゾレドロネートである、請求項２，２０，および２１のいずれか１項に記載の組成物。
【請求項２５】
ビスホスホネートがイバンドロネートである、請求項１９記載の方法。
【請求項２６】
ビスホスホネートがリセドロネートである、請求項１９記載の方法。
【請求項２７】
ビスホスホネートがゾレドロネートである、請求項１９記載の方法。
【請求項２８】
ビスホスホネートがアレンドロネートである、請求項１９記載の方法。
【請求項２９】
ArがOHで置換されている、請求項２０記載の組成物。
【請求項３０】
ArがOHおよびハロゲンで置換されている、請求項２０記載の組成物。
【請求項３１】
R７がC４−C２０アルキルである、請求項２０記載の組成物。
【請求項３２】
R７がC５−C１０アルキルまたはフェニル（C２アルキル）である、請求項２０記載の組成物。
【請求項３３】
R７がC７−C９アルキルまたはフェニル（C２アルキル）である、請求項２０記載の組成物。
【請求項３４】
Arが置換フェニルである、請求項２１記載の組成物。
【請求項３５】
Arが１以上のC１−C４アルキル、C１−C４アルコキシ、またはハロゲンで置換されたフェニルである、請求項２１記載の組成物。
【請求項３６】
Arがメトキシ、Cl、F、またはBrで置換されたフェニルである、請求項２１記載の組成物。
【請求項３７】
ArがCl置換フェニルである、請求項２１記載の組成物。
【請求項３８】
R１がC１−C１２アルキルである、請求項２１記載の組成物。
【請求項３９】
R１がC２−C８アルキルである、請求項２１記載の組成物。
【請求項４０】
R１がC２−C６アルキルである、請求項２１記載の組成物。
【請求項４１】
R１がC６アルキルである、請求項２１記載の組成物。
【請求項４２】
R３およびR４が独立してHまたはC１−C２アルキルである、請求項２１記載の組成物。
【請求項４３】
R３およびR４が双方ともHではない、請求項２１記載の組成物。
【請求項４４】
R３およびR４が独立してメチルまたはエチルである、請求項２１記載の組成物。
【請求項４５】
R３およびR４が双方ともメチルである、請求項２１記載の組成物。
【請求項４６】
R７がフェニル（C１−C１０アルキル）である、請求項２０記載の組成物。
【請求項４７】
（B）が化合物１０またはその塩である、請求項１ないし３および２２ないし２４のいずれか１項に記載の組成物。
【請求項４８】
ビスホスホネートが、アレンドロネート、クロドロネート、エチドロネート、イバンドロネート、インカドロネート、ミノドロネート、ネリドロネート、オルパドロネート、パミドロネート、リセドロネート、チルドロネート、ゾレドロネート、EB1053、YH529、これらの類似体、ミメティクス、およびポリエチレングリコール変性誘導体から選択される、請求項１９記載の方法。
【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
チャネルを含む無機マトリックス；および
前記チャネル内に配置された組成物を含む粒子であって、
前記組成物が有機構造誘導性薬剤および活性薬剤を含み、
前記粒子が前記活性薬剤を徐放することが可能である、粒子。
【請求項２】
請求項１に記載の複数の粒子を含む粒子組成物。
【請求項３】
ａ）容器；および
ｂ）請求項１に記載の複数の粒子、
を含む物品。
【請求項４】
ターゲットに請求項２に記載の粒子組成物を接触させるステップを含む方法。
【請求項５】
請求項１に記載の粒子を作製する方法であって、前記方法が有機構造誘導性薬剤および活性薬剤を含む組成物の存在下に無機マトリックスを形成させるステップを含む、方法。
【請求項６】
ａ．ターゲットを無機成分、有機構造誘導性薬剤および活性薬剤を含む組成物と接触させるステップと、
ｂ．前記組成物を乾燥させて前記活性薬剤を徐放することが可能な粒子を形成させるステップとを含む、
ターゲットを処理する方法。
【請求項７】
活性薬剤を徐放することが可能な粒子を作製する方法であって、前記方法が、無機成分、有機構造誘導性薬剤および活性薬剤を含む組成物を乾燥させるステップを含む、方法。
【請求項８】
請求項２に記載の粒子組成物を含む粉体。
【請求項９】
請求項２に記載の粒子組成物を含むフィルム。
【手続補正書】
【提出日】平成17年3月22日(2005.3.22)
【手続補正１】
【補正対象書類名】特許請求の範囲
【補正対象項目名】全文
【補正方法】変更
【補正の内容】
【特許請求の範囲】
【請求項１】
髪の毛、肌および爪を処理するためのものであり、１０，０００〜５０，０００，０００ｇ／ｍｏｌの平均分子量を有する陽イオン性、陰イオン性または非イオン性の高分子の水性塩溶液で安定に分散したものを、高分子固体で、０．００１〜２５重量％含有することを特徴とする化粧品用組成物。
【請求項２】
前記陽イオン性、陰イオン性または非イオン性の高分子の平均分子量が、１００，０００〜３０，０００，０００ｇ／ｍｏｌであることを特徴とする請求項１に記載の化粧品用組成物。
【請求項３】
水、糖質類、表面活性剤類、湿潤剤類、鉱油、鉱物油、脂肪アルコール類、脂肪エステル柔軟化粧水類、ワックス類およびシリコン含有ワックス類、シリコンオイル、シリコン流体、シリコン界面活性剤類、揮発性炭化水素オイル類、第４級窒素化合物類、アミン機能化シリコン類、調整高分子類、レオロジー修正剤類、酸化防止剤類、日焼け止め活性剤類、Ｃ１０からＣ２２までのジ−ロング鎖アミン類、Ｃ１０からＣ２２までの長連鎖脂肪アミン類、脂肪アルコール類、エトキシ化された脂肪アルコール類およびジ−テイルリン脂質類からなるグループから選択される一以上のふけい剤類をさらに含有することを特徴とする請求項１に記載の化粧品用組成物。
【請求項４】
シャンプー類、アフターシェーブ類、日焼け止め類、ハンドローション類、スキンクリーム類、液状石鹸類、固形石鹸類、お風呂用油性バー類、ひげそり用クリーム類、皿洗い用洗剤類、コンディショナー類、パーマネントウェーブ類、髪用リラクサー類、髪のブリーチ剤類、髪のもつれをほぐすローション、スタイリングジェル、スタイリンググレーズ類、スプレーフォーム類、スタイリングクリーム類、スタイリングワックス類、スタイリングローション類、ムース類、スプレージェル類、ポマード類、シャワージェル類、バブルバス類、髪染め用製剤類、一時的および永久的髪染め剤類、カラーコンディショナー類、脱色剤類、髪染めおよび非髪染め用のリンス類、毛髪染料類、髪用のウェーブセット剤類、パーマのウェーブ剤類、カール剤類、髪をストレートにする製剤類、髪の仕上げを補助する製剤類、髪用のトニック類、髪を飾るおよび酸化剤類、スプリッツァー類、スタイリングワックス類および香油類からなるグループから選択され、
前記組成物が、陽イオン性、陰イオン性または非イオン性の高分子を、高分子固体で、０．０１〜５重量％で含有することを特徴とする請求項１に記載の化粧品用組成物。
【請求項５】
５〜９５モル％のジアリルジメチルアンモニウムクロライドおよび９５〜５モル％のアクリルアミドを含有する陽イオン性の共重合体の水性塩溶液中に、安定な分散物を含有しており、前記分散物は、ＲＳＶが０．４〜１２ｄＬ／ｇであることを特徴とする請求項１に記載の化粧品用組成物。
【請求項６】
５〜９０モル％のアクリルアミド、５〜９０モル％のジメチルアミノエチルアクリレートベンジルクロライド第４級塩および５〜９０モル％のジメチルアミノエチルアクリレートメチルクロライド第４級塩を含有する陽イオン性３元重合体の水性塩溶液中に安定な分散物を含有しており、前記分散物は、ＲＳＶが０．４〜３０ｄＬ／ｇであることを特徴とする請求項１に記載の化粧品用組成物。
【請求項７】
５〜９５モル％のアクリルアミドおよび５〜９５モル％のジメチルアミノエチルアクリレートベンジルクロライド第４級塩を含有する陽イオン性共重合体の水性塩溶液中に安定な分散物を含有しており、前記分散物は、ＲＳＶが０．４〜３０ｄＬ／ｇであることを特徴とする請求項１の化粧品用組成物。
【請求項８】
５〜９５モル％のアクリルアミドおよび５〜９５モル％のジメチルアミノエチルアクリレートメチルクロライド第４級塩を含有する陽イオン性の共重合体の水性塩溶液中に安定な分散物を含有しており、前記分散物は、ＲＳＶが０．４〜３０ｄＬ／ｇであることを特徴とする請求項１に記載の化粧品用組成物。
【請求項９】
５〜９５モル％のアクリルアミドおよび５〜９５モル％の（メタ）アクリル酸またはそれらの塩を含有する陰イオン性の共重合体の水性塩溶液に安定な分散物を含有しており、前記分散物は、ＲＳＶが０．４〜４０ｄＬ／ｇであることを特徴とする請求項１に記載の化粧品用組成物。
【請求項１０】
５〜９５モル％のアクリルアミドおよび５〜９５モル％のビニルアセテートを含有する非イオン性の共重合体の水性塩溶液中に安定な分散物を含有しており、前記分散物は、ＲＳＶが０．４〜４０ｄＬ／ｇであることを特徴とする請求項１に記載の化粧品用組成物。
【請求項１１】
２０〜９０モル％のアクリルアミドおよび、ジアリルジメチルアンモニウムクロライド、ジメチルアミノエチルアクリレートメチルクロライド第４級塩およびジメチルアミノエチルアクリレートベンジルクロライド第４級塩からなるグループから選択される一以上の陽イオン性モノマーを８０〜１０モル％含有する陽イオン性の高分子の水性塩溶液中に安定な分散物を含有しており、前記分散物は、ＲＳＶが約０．４〜約３０ｄＬ／ｇであることを特徴とする請求項６に記載の化粧品用組成物。
【手続補正書】
【提出日】平成15年10月23日(2003.10.23)
【手続補正１】
【補正対象書類名】特許請求の範囲
【補正対象項目名】全文
【補正方法】変更
【補正の内容】
【特許請求の範囲】
【請求項１】
一般式Ｉ：
【化１】
2004528320.tif 000001
の化合物、又はその製剤的若しくは獣医学的に許容される塩［式中：
Ａは、ＣＨＯＨ又はＣ＝Ｏを表し；
Ｘは、Ｏを表し；
Ｙは、Ｎを表し；
Ｒ１、Ｒ２、Ｒ３、及びＲ４は、独立して、ハロ、ＯＲ６、ＮＲ９Ｒ１０、Ｃ１〜Ｃ６アルキル、Ｈｅｔ、Ｃ１〜Ｃ６アルキルＨｅｔ、アリール、又はＣ１〜Ｃ６アルキルアリールから選択される１つ以上の置換基で場合により置換される、及び／又は終結される、Ｃ１〜Ｃ６アルキル、Ｈｅｔ、Ｃ１〜Ｃ６アルキルＨｅｔ、アリール、又はＣ１〜Ｃ６アルキルアリールを表し；
ここで、Ｒ１、Ｒ２、Ｒ３、又はＲ４が、Ｃ１〜Ｃ６アルキル、Ｈｅｔ、Ｃ１〜Ｃ６アルキルＨｅｔ、アリール、又はＣ１〜Ｃ６アルキルアリールから選択される１つ以上の置換基で置換される、及び／又は終結される、Ｃ１〜Ｃ６アルキル、Ｈｅｔ、Ｃ１〜Ｃ６アルキルＨｅｔ、アリール、又はＣ１〜Ｃ６アルキルアリール基である場合、そのような置換基は、場合により、ハロ、ＯＲ１２、又はＮＲ１５Ｒ１６から選択される１つ以上のさらなる置換基で置換される、及び／又は終結され；
Ｒ６は、独立して、Ｈ、Ｃ１〜Ｃ６アルキル、Ｈｅｔ、Ｃ１〜Ｃ６アルキルＨｅｔ、アリール、又はＣ１〜Ｃ６アルキルアリールを表し；
Ｒ９とＲ１０は、独立して、Ｈ、Ｃ（Ｏ）Ｒ６、ＳＯ２Ｒ１１、Ｃ１〜Ｃ６アルキル、Ｈｅｔ、Ｃ１〜Ｃ６アルキルＨｅｔ、アリール、又はＣ１〜Ｃ６アルキルアリールを表すか；
又は、Ｒ９とＲ１０は、それらが結合する窒素原子と一緒に、ハロ、シアノ、ニトロ、ＯＲ１２、ＯＣ（Ｏ）Ｒ１２、Ｃ（Ｏ）Ｒ１２、Ｃ（Ｏ）ＯＲ１２、ＮＲ１２Ｃ（Ｏ）ＮＲ１３Ｒ１４、ＮＲ１２Ｃ（Ｏ）ＯＲ１２、ＯＣ（Ｏ）ＮＲ１３Ｒ１４、Ｃ（Ｏ）ＮＲ１５Ｒ１６、ＮＲ１５Ｒ１６、ＳＯ２ＮＲ１５Ｒ１６、又はＳＯ２Ｒ１７から選択される１つ以上の置換基で場合により置換される、及び／又は終結される複素環式環を形成することが可能であり；
Ｒ１１は、Ｃ１〜Ｃ６アルキル、Ｈｅｔ、Ｃ１〜Ｃ６アルキルＨｅｔ、アリール、又はＣ１〜Ｃ６アルキルアリールを表し；
ここで、Ｒ６、Ｒ９、Ｒ１０、又はＲ１１が、Ｃ１〜Ｃ６アルキル、Ｈｅｔ、Ｃ１〜Ｃ６アルキルＨｅｔ、アリール、又はＣ１〜Ｃ６アルキルアリール基である場合、そのようなＣ１〜Ｃ６アルキル、Ｈｅｔ、Ｃ１〜Ｃ６アルキルＨｅｔ、アリール、又はＣ１〜Ｃ６アルキルアリール基は、場合により、ハロ、シアノ、ニトロ、ＯＲ１２、ＯＣ（Ｏ）Ｒ１２、Ｃ（Ｏ）Ｒ１２、Ｃ（Ｏ）ＯＲ１２、ＮＲ１２Ｃ（Ｏ）ＮＲ１３Ｒ１４、ＮＲ１２Ｃ（Ｏ）ＯＲ１２、ＯＣ（Ｏ）ＮＲ１３Ｒ１４、Ｃ（Ｏ）ＮＲ１５Ｒ１６、ＮＲ１５Ｒ１６、ＳＯ２ＮＲ１５Ｒ１６、又はＳＯ２Ｒ１７から選択される１つ以上の置換基で置換される、及び／又は終結される場合があり；
Ｒ１２、Ｒ１３、及びＲ１４は、独立して、Ｈ又はＣ１〜Ｃ６アルキルを表すか；又は、Ｒ１３とＲ１４は、それらが結合する窒素原子と一緒に複素環式環を形成することが可能であり；
Ｒ１５とＲ１６は、独立して、Ｈ、Ｃ（Ｏ）Ｒ１２、ＳＯ２Ｒ１７、又はＣ１〜Ｃ６アルキルを表すか；又は、Ｒ１５とＲ１６は、それらが結合する窒素原子と一緒に複素環式環を形成することが可能であり；
Ｒ１７は、Ｃ１〜Ｃ６アルキルを表し；
そして、ここでＨｅｔは、場合により置換される４〜１２員の複素環式基を表し、該基は、窒素、酸素、イオウ、及びそれらの混合から選択される１つ以上のヘテロ原子を含有する］。
【請求項２】
ＡがＣ＝Ｏを表す、請求項１に記載の化合物。
【請求項３】
ＹがＮであり、ＡがＣ（Ｏ）であり、そして、Ｒ１、Ｒ２、Ｒ３、Ｒ４およびＲ５が、独立して、Ｃ１〜Ｃ４アルキル又はＣ１〜Ｃ４アルキルＨｅｔから選択される、請求項１または２に記載の化合物。
【請求項４】
ＹがＮであり、ＡがＣ（Ｏ）であり、そして、Ｒ１がＣ１〜Ｃ４アルキル又はＣ１〜Ｃ４アルキルＨｅｔであって、Ｒ２、Ｒ５、及びＲ４が、独立して、Ｃ１〜Ｃ３アルキルであり、Ｒ３がＣ２〜Ｃ４アルキルである、請求項１〜３のいずれか１項に記載の化合物。
【請求項５】
Ｈｅｔが、少なくとも１つのＮと、場合により、Ｏ、Ｓ、又はそれらの混合を含有するＣ５〜Ｃ８員の環系から選択される、請求項１〜４のいずれか１項に記載の化合物。
【請求項６】
２−（５−アセチル−２−ブトキシ−３−ピリジニル）−７−エチル−５−メチルイミダゾ［５，１−ｆ］［１，２，４］トリアジン−４（３Ｈ）−オン；
２−（５−アセチル−２−ブトキシ−３−ピリジニル）−７−エチル−５−プロピルイミダゾ［５，１−ｆ］［１，２，４］トリアジン−４（３Ｈ）−オン；
２−（５−アセチル−２−ブトキシ−３−ピリジニル）−７−エチル−５−（４−モルホリニルメチル）イミダゾ［５，１−ｆ］［１，２，４］トリアジン−４（３Ｈ）−オン；又は
２−（５−アセチル−２−ブトキシ−３−ピリジニル）−７−エチル−５−（４−モルホリニルエチル）イミダゾ［５，１−ｆ］［１，２，４］トリアジン−４（３Ｈ）−オンから選択される、請求項１〜５のいずれか１項に記載の化合物、及びその製剤的に許容される塩。
【請求項７】
医薬品としての使用のための、請求項１〜６のいずれか１項に記載の化合物。
【請求項８】
動物用医薬品としての使用のための、請求項１〜６のいずれか１項に定義される化合物。
【請求項９】
請求項１〜６のいずれか１項に定義される化合物を、製剤的若しくは獣医学的に許容されるアジュバント、希釈剤、又は担体と混合して含んでなる製剤。
【請求項１０】
医薬製剤である、請求項９に記載の製剤。
【請求項１１】
獣医学用製剤である、請求項９に記載の製剤。
【請求項１２】
ｃＧＭＰ  ＰＤＥ５の阻害が所望される医学的状態の治癒的若しくは予防的処置のための医薬品の製造における、請求項１〜６のいずれか１項に定義される化合物の使用。
【請求項１３】
前記状態が、男性の勃起不全（ＭＥＤ）、不能症、女性の性機能不全（ＦＳＤ）、陰核機能不全、女性の性欲低下性異常症、女性の性覚醒障害、女性の性疼痛障害、又は女性の性オルガスム機能不全（ＦＳＯＤ）である、請求項１２に記載の使用。
【請求項１４】
ｃＧＭＰ  ＰＤＥ５の阻害が所望される医学的状態を治療するか又は予防するための製剤であって、請求項１〜６のいずれか１項に記載の化合物を含む、前記製剤。
【請求項１５】
前記状態が、男性の勃起不全（ＭＥＤ）、不能症、女性の性機能不全（ＦＳＤ）、陰核機能不全、女性の性欲低下性異常症、女性の性覚醒障害、女性の性疼痛障害、又は女性の性オルガスム機能不全（ＦＳＯＤ）である、請求項１４に記載の製剤。
【手続補正書】
【提出日】平成17年2月15日(2005.2.15)
【手続補正１】
【補正対象書類名】特許請求の範囲
【補正対象項目名】全文
【補正方法】変更
【補正の内容】
【特許請求の範囲】
【請求項１】
ａ）選択される細胞毒性剤；およびｂ）ＲＡＲα／β選択的アゴニストまたはＲＡＲ ｐａｎアンタゴニストからなる癌治療剤。
【請求項２】
選択される細胞毒性剤がチュブリン重合剤である、請求項１の癌治療剤。
【請求項３】
選択される細胞毒性剤がタキサンである、請求項１の癌治療剤。
【請求項４】
選択される細胞毒性剤がパクリタキセルである、請求項１の癌治療剤。
【請求項５】
ＲＡＲα／β選択的アゴニストまたはＲＡＲ ｐａｎアンタゴニストが選択される細胞毒性剤の前にまたは同時に患者に投与されるように設定されている、請求項１の癌治療剤。
【請求項６】
ａ）Ｂｃｌ−２のリン酸化を増大するのに選択される細胞毒性剤；およびｂ）ＲＡＲα／β選択的アゴニストからなる、請求項１の癌治療剤。
【請求項７】
ＲＡＲα／β選択的アゴニストが式Ｉａ：
【化１】
2004528316.tif 000001
および式Ｉｂ：
【化２】
2004528316.tif 000002
並びにその医薬的に許容される塩からなる群から選択される、請求項１の癌治療剤。
【請求項８】
ＲＡＲ ｐａｎアンタゴニストが式ＩＩ：
【化３】
2004528316.tif 000003
およびその医薬的に許容される塩からなる群から選択される、請求項１の癌治療剤。
【請求項９】
該選択される細胞毒性剤が低下した有効量で含まれる請求項１〜４および請求項６〜８の癌治療剤。
【請求項１０】
ａ）選択される細胞毒性剤；およびｂ）ＲＡＲα／β選択的アゴニストまたはＲＡＲ ｐａｎアンタゴニストからなる医薬組成物。
【請求項１１】
選択される細胞毒性剤がチュブリン重合剤である、請求項１０の医薬組成物。
【請求項１２】
選択される細胞毒性剤がタキサンである、請求項１０の医薬組成物。
【請求項１３】
ａ）Ｂｃｌ−２のリン酸化を増大するのに選択される細胞毒性剤；およびｂ）ＲＡＲα／β選択的アゴニストからなる、請求項１０の医薬組成物。
【請求項１４】
式ＩＩ：
【化４】
2004528316.tif 000004
の化合物またはその医薬的に許容される塩。
【手続補正書】
【提出日】平成16年9月21日(2004.9.21)
【手続補正１】
【補正対象書類名】明細書
【補正対象項目名】００２１
【補正方法】変更
【補正の内容】
【００２１】
更に、ポリオール成分ｂ）中に存在してよい適切なポリオールの例として、多官能価のアルコールもしくはアミンもしくはアミノアルコールもしくはそれらの混合物を例示でき、それらのプロポキシ化された及び／もしくはエトキシ化された二次生成物を例示でき、又は多官能価アルコールと多官能価カルボン酸とのエステル化によって得られるポリエステルポリオールも例示できる。ポリオール成分ｂ）は、少なくとも７５％の一級水酸基含有量を有することが好ましい。